(57)【要約】【課題】ハンドセットが収納部から外れることを妨げるために設けられる磁石が磁気媒体に与える影響を低減することが可能な技術を提供する。【解決手段】ハンドセット１１が収納部１２に収納されているときにハンドセット１１から押圧を受け、ハンドセット１１が収納部１２から取り外されるとハンドセット１１からの押圧が解除されるフックスイッチ１３と、磁力によってハンドセット１１が収納部１２から外れることを妨げる磁石１４と、ハンドセット１１からフックスイッチ１３への押圧の解除に連動して回動することによって磁石１４を移動させるリンク部材５３と、を備える、自動取引装置が提供される。【選択図】図６
2015194821.tif 000002
【特許請求の範囲】
【請求項１】
ハンドセットが収納部に収納されているときに前記ハンドセットから押圧を受け、前記ハンドセットが前記収納部から取り外されると前記ハンドセットからの押圧が解除されるフックスイッチと、
磁力によってハンドセットが前記収納部から外れることを妨げる磁石と、
前記ハンドセットから前記フックスイッチへの押圧の解除に連動して回動することによって前記磁石を移動させるリンク部材と、
を備える、自動取引装置。
【請求項２】
前記リンク部材は、前記ハンドセットから前記フックスイッチへの押圧の解除に連動して回動することによって前記磁石をハンドセット１１から遠ざける方向に移動させる、
請求項１に記載の自動取引装置。
【請求項３】
前記リンク部材は、回動中心を基準として前記フックスイッチとの接続位置とは反対側に前記磁石が接続され、前記ハンドセットからの押圧が解除されると前記フックスイッチの回動方向とは逆方向に回動して、前記磁石を前記ハンドセットから遠ざける方向に移動させる、
請求項２に記載の自動取引装置。
【請求項４】
ハンドセットが収納部に収納されているときに前記ハンドセットから押圧を受け、前記ハンドセットが前記収納部から取り外されると前記ハンドセットからの押圧が解除されるフックスイッチと、
電流の供給を受けることによって磁化されて前記ハンドセットが前記収納部から外れることを妨げる電磁石と、を備え、
前記フックスイッチは、前記押圧を受けているときに前記電磁石への電流の供給を継続させ、前記押圧の解除に連動して前記電磁石への電流の供給を停止させることによって前記電磁石を消磁させる、
を備える、自動取引装置。
【請求項５】
前記フックスイッチは、前記押圧を受けているときに、前記電磁石に電流を供給するための回路を接続し、前記押圧が解除されると、前記電磁石に電流を供給するための回路を切断する、
請求項４に記載の自動取引装置。
【請求項６】
ハンドセットが置かれる開閉部材が開いているか否かを検出する開閉検出スイッチと、
電流の供給を受けることによって磁化されて前記ハンドセットが収納部から外れることを妨げる電磁石と、を備え、
前記開閉検出スイッチは、前記開閉部材が開いていることを検出したときに前記電磁石への電流の供給を継続させ、前記開閉部材が閉じていることを検出したときに前記電流を停止させることによって前記電磁石を消磁させる、
を備える、自動取引装置。
【請求項７】
前記開閉検出スイッチは、押圧を受けているときに、前記電磁石に電流を供給するための回路を接続し、前記押圧が解除されると、前記電磁石に電流を供給するための回路を切断する、
請求項６に記載の自動取引装置。
【発明の詳細な説明】
【技術分野】
【０００１】
本発明は、自動取引装置に関するものである。
【背景技術】
【０００２】
昨今、現金自動預け払い機（ＡＴＭ：Ａｕｔｏｍａｔｅｄ  Ｔｅｌｌｅｒ  Ｍａｃｈｉｎｅ、以下、単に「ＡＴＭ」とも言う。）などの自動取引装置が利用されている。自動取引装置は、画面に案内を表示し、案内に従って利用者によってカードが挿入され、キー部から暗証情報が入力されると、暗証情報の照合が成功した場合に、現金の預け入れや払い戻しなどの取引を行うことができる。かかる自動取引装置は、金融機関だけではなく小売店や公共施設などにも設置される例が増えてきている。
【０００３】
自動取引装置を利用した取引に際しては、音声を出力するハンドセットが利用される場合がある。例えば、ハンドセットは、自動取引装置の利用者を案内するための音声ガイダンスを出力し得る。音声ガイダンスは、視覚障害者向けの音声ガイダンスであってもよい。また、ハンドセットは、電話網を経由して受信された音声を出力し得る。例えば、健常者が係員と通話を行いたい場合に、かかる機能が利用され得る。
【０００４】
ここで、ハンドセットは利用されないときには所定の収納部に収納されているが、意図しないときにハンドセットが所定の収納部から外れてしまうことがある。例えば、自動取引装置に存在する開閉部材に収納部が設けられている場合などには、その開閉部材が開けられたときに、ハンドセットが収納部から外れてしまう可能性がある。そこで、ハンドセットが収納部から外れることを妨げるために、磁石の磁力が用いられる技術が開示されている（例えば、特許文献１参照）。
【先行技術文献】
【特許文献】
【０００５】
【特許文献１】特開２００２−４４２１２号公報
【発明の概要】
【発明が解決しようとする課題】
【０００６】
しかしながら、ハンドセットが収納部から外れることを妨げるために設けられる磁石が磁気媒体に何らかの影響を与えてしまう可能性がある。そこで、本発明は、上記問題に鑑みてなされたものであり、本発明の目的とするところは、ハンドセットが収納部から外れることを妨げるために設けられる磁石が磁気媒体に与える影響を低減することが可能な技術を提供することにある。
【課題を解決するための手段】
【０００７】
上記問題を解決するために、本発明のある観点によれば、ハンドセットが収納部に収納されているときに前記ハンドセットから押圧を受け、前記ハンドセットが前記収納部から取り外されると前記ハンドセットからの押圧が解除されるフックスイッチと、磁力によってハンドセットが前記収納部から外れることを妨げる磁石と、前記ハンドセットから前記フックスイッチへの押圧の解除に連動して回動することによって前記磁石を移動させるリンク部材と、を備える、自動取引装置が提供される。
【０００８】
前記リンク部材は、前記ハンドセットから前記フックスイッチへの押圧の解除に連動して回動することによって前記磁石をハンドセット１１から遠ざける方向に移動させてよい。
【０００９】
前記リンク部材は、回動中心を基準として前記フックスイッチとの接続位置とは反対側に前記磁石が接続され、前記ハンドセットからの押圧が解除されると前記フックスイッチの回動方向とは逆方向に回動して、前記磁石を前記ハンドセットから遠ざける方向に移動させてよい。
【００１０】
また、本発明の他の観点によれば、ハンドセットが収納部に収納されているときに前記ハンドセットから押圧を受け、前記ハンドセットが前記収納部から取り外されると前記ハンドセットからの押圧が解除されるフックスイッチと、電流の供給を受けることによって磁化されて前記ハンドセットが前記収納部から外れることを妨げる電磁石と、を備え、前記フックスイッチは、前記押圧を受けているときに前記電磁石への電流の供給を継続させ、前記押圧の解除に連動して前記電磁石への電流の供給を停止させることによって前記電磁石を消磁させる、自動取引装置が提供される。
【００１１】
前記フックスイッチは、前記押圧を受けているときに、前記電磁石に電流を供給するための回路を接続し、前記押圧が解除されると、前記電磁石に電流を供給するための回路を切断してよい。
【００１２】
また、本発明の他の観点によれば、ハンドセットが置かれる開閉部材が開いているか否かを検出する開閉検出スイッチと、電流の供給を受けることによって磁化されて前記ハンドセットが収納部から外れることを妨げる電磁石と、を備え、前記開閉検出スイッチは、前記開閉部材が開いていることを検出したときに前記電磁石への電流の供給を継続させ、前記開閉部材が閉じていることを検出したときに前記電流を停止させることによって前記電磁石を消磁させる、自動取引装置が提供される。
【００１３】
前記開閉検出スイッチは、押圧を受けているときに、前記電磁石に電流を供給するための回路を接続し、前記押圧が解除されると、前記電磁石に電流を供給するための回路を切断してよい。
【発明の効果】
【００１４】
以上説明したように本発明によれば、ハンドセットが収納部から外れることを妨げるために設けられる磁石が磁気媒体に与える影響を低減することが可能となる。
【図面の簡単な説明】
【００１５】
【図１】一般的な第１の自動取引装置の外観を示す斜視図である。
【図２】一般的な第１の自動取引装置のうち収納部に収納されているハンドセットおよびその周辺を拡大して示した側面図である。
【図３】フロントパネルが開いている状態を示す側面図である。
【図４】一般的な第２の自動取引装置のうち収納部に収納されているハンドセットおよびその周辺を拡大して示した側面図である。
【図５】一般的な第２の自動取引装置のうち磁気媒体に接近された収納部およびその周辺を拡大して示した斜視図である。
【図６】本発明の第１の実施形態に係る自動取引装置のうち収納部に収納されているハンドセットおよびその周辺を拡大して示した側面図である。
【図７】本発明の第１の実施形態に係る自動取引装置のうち収納部から取り外されたハンドセットおよびその周辺を拡大して示した側面図である。
【図８】本発明の第２の実施形態に係る自動取引装置のうち収納部に収納されているハンドセットおよびその周辺を拡大して示した側面図である。
【図９】本発明の第２の実施形態に係る自動取引装置のうち電磁石に電流を供給する回路の構成例を示す図である。
【図１０】本発明の第３の実施形態に係る自動取引装置のうち収納部に収納されているハンドセットおよびその周辺を拡大して示した側面図である。
【図１１】本発明の第３の実施形態に係る自動取引装置のうち開いた状態におけるフロントパネルおよびその周辺を拡大して示した側面図である。
【図１２】本発明の第３の実施形態に係る自動取引装置のうち電磁石に電流を供給する回路の構成例を示す図である。
【発明を実施するための形態】
【００１６】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００１７】
また、本明細書および図面において、実質的に同一の機能構成を有する複数の構成要素を、同一の符号の後に異なるアルファベットまたは数字を付して区別する場合もある。ただし、実質的に同一の機能構成を有する複数の構成要素の各々を特に区別する必要がない場合、同一符号のみを付する。
【００１８】
まず、一般的な第１の自動取引装置について説明する。図１は、一般的な第１の自動取引装置１０の外観を示す斜視図である。まず、図１を参照しながら、一般的な第１の自動取引装置１０の外部構成について説明する。例えば、自動取引装置１０は、紙幣を還流させる（リサイクルさせる）タイプのＡＴＭに代表される顧客操作型端末であってよい。また、自動取引装置１０は、銀行、駅構内およびコンビニエンスストアなど、多様な場所に設置され得る。
【００１９】
図１を参照すると、自動取引装置１０は、ハンドセット１１と、硬貨入出金口２０と、伝票排出部Ｅ１と、装置本体１６と、カード挿入排出口Ｅ２と、紙幣入出金口１９と、表示部１８と、フロントパネル１７とを備える。表示部１８には、利用者が操作を入力するためのタッチパネルが積層されていてよい。自動取引装置１０の動作の例として出金の動作を説明する。
【００２０】
まず、利用者がカードをカード挿入排出口Ｅ２に挿入すると、暗証情報の入力案内が表示部１８に表示される。利用者は暗証情報を入力する。カードから読み取られたデータに基づいて暗証情報の照合が成功すると、利用者は払い戻したい金額を入力し、表示部１８に表示された確認ボタンを押下する操作を行う。入力された金額に相当する現金が紙幣入出金口１９または硬貨入出金口２０に排出され、伝票が伝票排出部Ｅ１に排出されると、利用者は現金と伝票とを受け取り、取引が完了する。取引明細は、伝票排出部Ｅ１から出力される。
【００２１】
ハンドセット１１は、自動取引装置１０の利用者を案内するための音声ガイダンスを出力し得る。音声ガイダンスは、視覚障害者向けの音声ガイダンスであってもよい。また、かかるハンドセットが、電話網を経由して受信された音声を出力する機能をさらに有する。例えば、健常者が係員と通話を行いたい場合に、かかる機能が利用され得る。
【００２２】
ここで、ハンドセット１１は利用されないときには収納部に収納されるのが一般的である。図２は、一般的な第１の自動取引装置１０のうち収納部１２に収納されているハンドセット１１およびその周辺を拡大して示した側面図である。図２を参照すると、収納部１２にハンドセット１１が収納されている。しかし、意図しないときにハンドセット１１が収納部１２から外れてしまうことがある。
【００２３】
また、収納部１２が開閉部材に設けられる場合には、開閉部材が開いたときにハンドセット１１が収納部１２から特に外れやすい。本明細書においては、開閉部材が、図１に示したように自動取引装置１０の前面に存在するフロントパネル１７である場合を例として説明するが、開閉部材の位置は自動取引装置１０の前面に限定されない。図３は、フロントパネル１７が開いている状態を示す側面図である。図３に示すように、フロントパネル１７が開いている状態のときには、フロントパネル１７が傾いてしまうため、ハンドセット１１が所望の位置から外れやすい。
【００２４】
ハンドセット１１が収納部から外れると、ハンドセット１１が自動的に電話網に接続されてしまうこともある。また、ハンドセット１１が収納部から外れると、ハンドセット１１から自動的に音声ガイダンスが出力されることもある。そこで、ハンドセット１１が収納部から外れることを妨げるために、磁石の磁力が用いられることがある。図２を参照すると、収納部１２には磁石１４が設けられ、ハンドセット１１には鉄板１５が設けられている。そして、ハンドセット１１が収納部１２に収納されているときには、磁石１４の磁力により鉄板１５が磁石１４に吸着されるため、ハンドセット１１が収納部１２から外れることが妨げられる。
【００２５】
さらに、収納部１２の下方には、フックスイッチ１３が設けられており、ハンドセット１１が収納部１２に収納されるときには、フックスイッチ１３がハンドセット１１から押圧を受ける。ハンドセット１１から押圧を受けると、フックスイッチ１３は、回動中心を支点としてハンドセット１１との接触部分が下降する方向に回動し、所定の位置において停止する。ハンドセット１１が収納部１２に収納されている状態においては、フックスイッチ１３がハンドセット１１から押圧を受ける。
【００２６】
一方、ハンドセット１１が収納部１２から取り外されるときには、フックスイッチ１３がハンドセット１１から受ける押圧が解除される。フックスイッチ１３がハンドセット１１から受ける押圧が解除されると、フックスイッチ１３は、回動中心を支点としてハンドセット１１との接触部分が上昇する方向に回動し、所定の位置において停止する。フックスイッチ１３がハンドセット１１から受ける押圧の解除によってハンドセット１１が収納部１２から外れたことが検出され得る。
【００２７】
しかし、ハンドセット１１が収納部１２から外れることを妨げるために設けられる磁石１４が磁気媒体に何らかの影響を与えてしまう可能性がある。例えば、磁気媒体としては、例えば、通帳に付された磁気媒体、カードなどに付された磁気媒体などが挙げられる。磁気媒体への影響としては、磁気媒体の磁気ストライプに記録されている情報が消去されてしまうという影響などが想定される。また、図２には、収納部１２の上面に磁石１４が設けられる例が示されていたが、収納部１２のうちハンドセット１１の受話部が収まる窪み部分の側面に磁石１４を設けることによって磁石１４が磁気媒体に与える影響を低減することも想定される。
【００２８】
図４は、一般的な第２の自動取引装置１０のうち収納部１２に収納されているハンドセット１１およびその周辺を拡大して示した側面図である。図４に示したように、収納部１２のうちハンドセット１１の受話部が収まる窪み部分の側面に磁石１４が設けられることによって、水平に置かれた磁気媒体に対して磁石１４が与える影響は低減されることが期待される。しかし、収納部１２のうちハンドセット１１の受話部が収まる窪み部分に磁気媒体が入り込むことも想定される。図５は、一般的な第２の自動取引装置１０のうち磁気媒体２１に接近された収納部１２およびその周辺を拡大して示した斜視図である。
【００２９】
図５を参照すると、収納部１２のうちハンドセット１１の受話部が収まる窪み部分の側面に磁石１４が設けられている。しかし、図５に示したように、この窪み部分には、磁気媒体２１が入り込む場合も想定される。かかる場合には、収納部１２の上面に磁石１４が設けられる場合と同様に、磁石１４が磁気媒体２１に何らかの影響を与えてしまう可能性がある。そこで、本明細書においては、ハンドセット１１が収納部１２から外れることを妨げるために設けられる磁石１４が磁気媒体２１に与える影響を低減することが可能な技術を主に提案する。
【００３０】
なお、図２に示した例においては、磁石１４に吸着される物質としては、鉄板１５が用いられているが、磁石１４に吸着される物質は鉄板１５に限定されない。例えば、磁石１４に吸着される物質として、鉄板１５の代わりに他の磁性体（例えば、コバルト、ニッケルなど）が用いられてもよい。
【００３１】
（第１の実施形態）
続いて、本発明の第１の実施形態について説明する。ここで、本発明の第１の実施形態に係る構成のうち、上記した一般的な技術と同様の構成には、一般的な技術に係る構成と同一の符号を付し、一般的な技術に係る構成と同様の構成についての詳細な説明を省略する場合がある。図６は、本発明の第１の実施形態に係る自動取引装置１０のうち収納部１２に収納されているハンドセット１１およびその周辺を拡大して示した側面図である。
【００３２】
図６を参照すると、収納部１２にハンドセット１１が収納されている。また、収納部１２には磁石１４が設けられ、ハンドセット１１には鉄板１５が設けられている。そして、ハンドセット１１が収納部１２に収納されているときには、磁石１４の磁力により鉄板１５が磁石１４に吸着されるため、ハンドセット１１が収納部１２から外れることが妨げられる。また、収納部１２の下方には、フックスイッチ１３が設けられている。ハンドセット１１が収納部１２に収納されているときには、フックスイッチ１３がハンドセット１１から押圧を受けている。
【００３３】
また、図６を参照すると、フックスイッチ１３と磁石１４とを接続するリンク部材５３が設けられている。ここで、収納部１２からハンドセット１１が取り外されてハンドセット１１からフックスイッチ１３への押圧が解除されると、リンク部材５３は、ハンドセット１１からフックスイッチ１３への押圧の解除に連動して回動することによって磁石１４を移動させる。かかる構成によれば、ハンドセット１１が収納部１２から外れることを妨げるために設けられる磁石１４が磁気媒体２１に与える影響を低減することが可能となる。
【００３４】
図７は、本発明の第１の実施形態に係る自動取引装置１０のうち収納部１２から取り外されたハンドセット１１およびその周辺を拡大して示した側面図である。図７に示したように、収納部１２からハンドセット１１が取り外されてハンドセット１１からフックスイッチ１３への押圧が解除されると、リンク部材５３は、ハンドセット１１からフックスイッチ１３への押圧の解除に連動して回動することによって磁石１４をハンドセット１１から遠ざける方向に移動させるとよい。
【００３５】
具体的には、図６に示したように、フックスイッチ１３は回動可能に構成されており、リンク部材５３も回動可能に構成されている。ここで、リンク部材５３は、リンク部材５３の回動中心を基準としてフックスイッチ１３との接続位置とは反対側に磁石１４が接続されているとよい。そうすれば、図７に示したように、リンク部材５３は、フックスイッチ１３に対するハンドセット１１からの押圧が解除されるとフックスイッチ１３の回動方向とは逆方向に回動して、磁石１４をハンドセット１１から遠ざける方向に移動させることが可能となる。
【００３６】
以上、本発明の第１の実施形態に係る構成のうち、一般的な技術に係る構成とは異なる構成について主に説明した。
【００３７】
（第２の実施形態）
続いて、本発明の第２の実施形態について説明する。ここで、本発明の第２の実施形態に係る構成のうち、本発明の第１の実施形態と同様の構成には、本発明の第１の実施形態の構成と同一の符号を付し、本発明の第１の実施形態と同様の構成についての詳細な説明を省略する場合がある。図８は、本発明の第２の実施形態に係る自動取引装置１０のうち収納部１２に収納されているハンドセット１１およびその周辺を拡大して示した側面図である。
【００３８】
図８を参照すると、収納部１２にハンドセット１１が収納されている。また、収納部１２の下方には、フックスイッチ１３が設けられており、ハンドセット１１には鉄板１５が設けられている。ここで、本発明の第１の実施形態においては、ハンドセット１１が収納部１２から外れることを妨げる磁石が収納部１２に設けられる例を示した。本発明の第２の実施形態においては、収納部１２に電磁石６３が設けられる例を説明する。
【００３９】
具体的には、フックスイッチ１３は、ハンドセット１１が収納部１２に収納されてハンドセット１１から押圧を受けているときには、電磁石６３への電流の供給を継続させればよい。電磁石６３が電流の供給を受けることによって磁化されると、磁力により鉄板１５が電磁石６３に吸着される。そのため、ハンドセット１１が収納部１２から外れることが妨げられる。
【００４０】
一方、フックスイッチ１３は、収納部１２からハンドセット１１が取り外されてハンドセット１１から受ける押圧が解除されると、ハンドセット１１から受ける押圧の解除に連動して電磁石６３への電流の供給を停止させればよい。かかる構成によれば、収納部１２からハンドセット１１が取り外されたときには、電磁石６３が消磁されるため、ハンドセット１１が収納部１２から外れることを妨げるために設けられる電磁石６３が磁気媒体に与える影響を低減することが可能となる。以下、電磁石６３に電流を供給する回路の具体的な構成を説明する。
【００４１】
図９は、本発明の第２の実施形態に係る自動取引装置１０のうち電磁石６３に電流を供給する回路の構成例を示す図である。フックスイッチ１３は、ハンドセット１１が収納部１２に収納され、ハンドセット１１との接触部分が下降する方向に回動すると、電磁石６３に電流を供給するための回路を接続する。これによって、電磁石６３への電流の供給が継続される。一方、フックスイッチ１３は、収納部１２からハンドセット１１が取り外され、ハンドセット１１との接触部分が上昇する方向に回動すると、電磁石６３に電流を供給するための回路を切断する。これによって、電磁石６３への電流の供給が停止される。
【００４２】
なお、電磁石６３に電流を供給するための電源は、自動取引装置１０に電力を供給する電源と同じであってもよい。しかし、図９に示した例では、電磁石６３に電流を供給するための回路に、ＤＣ（Ｄｉｒｅｃｔ  Ｃｕｒｒｅｎｔ）電源６４および電池６５が別途設けられている。このように、電磁石６３に電流を供給するための回路に、自動取引装置１０に電力を供給する電源とは異なる電源を設けることによって、自動取引装置１０への電力供給が停止された場合であっても、電磁石６３に供給する電流を制御することが可能である。
【００４３】
また、図９に示されるように、電磁石６３に電流を供給するための回路に逆電流防止用ダイオード６６が設けられてもよい。
【００４４】
以上、本発明の第２の実施形態に係る構成のうち、本発明の第１の実施形態に係る構成とは異なる構成について主に説明した。
【００４５】
（第３の実施形態）
続いて、本発明の第３の実施形態について説明する。ここで、本発明の第３の実施形態に係る構成のうち、本発明の第１および第２の実施形態と同様の構成には、本発明の第１および第２の実施形態の構成と同一の符号を付し、本発明の第１および第２の実施形態と同様の構成についての詳細な説明を省略する場合がある。図１０は、本発明の第３の実施形態に係る自動取引装置１０のうち収納部１２に収納されているハンドセット１１およびその周辺を拡大して示した側面図である。
【００４６】
図８を参照すると、収納部１２にハンドセット１１が収納されている。また、収納部１２の下方には、フックスイッチ１３が設けられており、ハンドセット１１には鉄板１５が設けられている。ここで、本発明の第３の実施形態においても、本発明の第２の実施形態と同様に、収納部１２に電磁石７３が設けられる例を説明する。ただし、本発明の第３の実施形態においては、ハンドセット１１が置かれるフロントパネル１７が開いているか否かを検出する開閉検出スイッチを用いる。
【００４７】
図１１は、本発明の第３の実施形態に係る自動取引装置１０のうち開いた状態におけるフロントパネル１７およびその周辺を拡大して示した側面図である。図１１を参照すると、ハンドセット１１が置かれるフロントパネル１７には、開閉検出スイッチ７５が設けられている。開閉検出スイッチ７５は、フロントパネル１７が開いているか否かを検出することが可能である。図１１に示した例では、開閉検出スイッチ７５がフロントパネル１７の下面に設けられているが、開閉検出スイッチ７５は設けられる位置は特に限定されない。
【００４８】
本発明の第３の実施形態においては、開閉検出スイッチ７５は、フロントパネル１７が開けられ、フロントパネル１７が開いていることを検出したときに電磁石７３への電流の供給を継続させればよい。電磁石７３が電流の供給を受けることによって磁化されると、磁力により鉄板１５が電磁石７３に吸着される。そのため、ハンドセット１１が収納部１２から外れることが妨げられる。
【００４９】
一方、開閉検出スイッチ７５は、フロントパネル１７が閉じられ、フロントパネル１７が閉じていることを検出したときに電磁石７３への電流の供給を停止させればよい。かかる構成によれば、フロントパネル１７が閉じられたときには、電磁石７３が消磁されるため、ハンドセット１１が収納部１２から外れることを妨げるために設けられる電磁石７３が磁気媒体に与える影響を低減することが可能となる。
【００５０】
さらに、かかる構成によれば、ハンドセット１１が収納部１２に収納されているときであっても、フロントパネル１７が閉じている限りにおいては、電磁石７３への電流の供給が停止されて電磁石７３が消磁される。そのため、ハンドセット１１が収納部１２に収納されているときであっても、フロントパネル１７が閉じている限りにおいては、電磁石７３と鉄板１５との吸着がされないため、収納部１２からハンドセット１１を取り外すときに利用者に与える抵抗感を低減することができる。以下、電磁石７３に電流を供給する回路の具体的な構成を説明する。
【００５１】
図１２は、本発明の第３の実施形態に係る自動取引装置１０のうち電磁石７３に電流を供給する回路の構成例を示す図である。開閉検出スイッチ７５は、フロントパネル１７が開かれ、装置本体１６から押圧を受けていないときには、電磁石７３に電流を供給するための回路を接続する。これによって、電磁石７３への電流の供給が継続される。一方、開閉検出スイッチ７５は、フロントパネル１７が閉じられ、装置本体１６から押圧を受けているときは、電磁石７３に電流を供給するための回路を切断する。これによって、電磁石７３への電流の供給が停止される。
【００５２】
なお、電磁石７３に電流を供給するための電源は、自動取引装置１０に電力を供給する電源と同じであってもよい。しかし、図１２に示したように、本発明の第２の実施形態と同様に、電磁石７３に電流を供給するための回路には、ＤＣ電源６４および電池６５が別途設けられてもよい。また、図１２に示したように、本発明の第２の実施形態と同様に、電磁石７３に電流を供給するための回路に逆電流防止用ダイオード６６が設けられてもよい。
【００５３】
以上、本発明の第３の実施形態に係る構成のうち、本発明の第１および第２の実施形態に係る構成とは異なる構成について主に説明した。
【００５４】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００５５】
１０    自動取引装置
１１    ハンドセット
１２    収納部
１３    フックスイッチ
１４    磁石
１５    鉄板
１６    装置本体
１７    フロントパネル
１８    表示部
１９    紙幣入出金口
２０    硬貨入出金口
２１    磁気媒体
５３    リンク部材
６３    電磁石
６４    ＤＣ電源
６５    電池
６６    逆電流防止用ダイオード
７３    電磁石
７５    開閉検出スイッチ
Ｅ１    伝票排出部
Ｅ２    カード挿入排出口
【図１】
2015194821.tif 000003
【図２】
2015194821.tif 000004
【図３】
2015194821.tif 000005
【図４】
2015194821.tif 000006
【図５】
2015194821.tif 000007
【図６】
2015194821.tif 000008
【図７】
2015194821.tif 000009
【図８】
2015194821.tif 000010
【図９】
2015194821.tif 000011
【図１０】
2015194821.tif 000012
【図１１】
2015194821.tif 000013
【図１２】
2015194821.tif 000014